(57)【特許請求の範囲】
【請求項１】
通信サービスを提供するための方法であって、
移動端末が、アプリケーションを作動させるステップと、
第１の通信ネットワークが、前記移動端末と、前記第１の通信ネットワークのコアネットワークとの間のベアラを使用して、前記アプリケーションに通信サービスを提供するステップと、
前記第１の通信ネットワークのネットワークゲートウェイが、プロトコル構成オプションを介して第２の通信ネットワークのコアネットワークスライスの識別情報を前記移動端末に送信するステップであって、前記コアネットワークスライスは、前記第２の通信ネットワークによって前記アプリケーションに前記通信サービスを提供するときに使用される、当該送信するステップと、
前記移動端末が、前記第２の通信ネットワークの前記コアネットワークスライスに基づいて前記通信サービスを使用するステップと、
を含み、
前記第１の通信ネットワークのネットワークゲートウェイは、パケットデータネットワークゲートウェイ制御プレーンおよびセッション管理機能（ＰＧＷ−Ｃ＋ＳＭＦ）である、
通信サービスを提供するための方法。
【請求項２】
前記第２の通信ネットワークの前記コアネットワークスライスに基づいて前記通信サービスの使用を開始するときに、前記移動端末が、前記第１の通信ネットワークに基づく前記通信サービスの使用を停止するステップ、
をさらに含む、請求項１に記載の、通信サービスを提供するための方法。
【請求項３】
前記第１の通信ネットワークから前記第２の通信ネットワークへの、前記移動端末のハンドオーバを実施するステップ、
をさらに含む、請求項１又は２に記載の、通信サービスを提供するための方法。
【請求項４】
前記ハンドオーバが、前記第１の通信ネットワークの無線アクセスネットワークから前記第２の通信ネットワークの無線アクセスネットワークへのハンドオーバを含む、
請求項３に記載の、通信サービスを提供するための方法。
【請求項５】
前記コアネットワークスライスの前記識別情報が、前記第１の通信ネットワークの前記コアネットワークと前記第２の通信ネットワークの前記コアネットワークとの両方に属するネットワークコンポーネントによって前記移動端末に送信され、
前記第１の通信ネットワークの前記コアネットワークと前記第２の通信ネットワークの前記コアネットワークとの両方に属する前記ネットワークコンポーネントは、パケットデータネットワークゲートウェイ制御プレーンおよびセッション管理機能（ＰＧＷ−Ｃ＋ＳＭＦ）である、
請求項１〜４のいずれか一項に記載の、通信サービスを提供するための方法。
【請求項６】
前記ネットワークコンポーネントが、前記コアネットワークスライスのタイプを決定するステップ、
を含む、請求項５に記載の、通信サービスを提供するための方法。
【請求項７】
前記移動端末が、前記アプリケーションと前記コアネットワークスライスとの関連付けを記憶するステップ、
を含む、請求項１〜６のいずれか一項に記載の、通信サービスを提供するための方法。
【請求項８】
前記第１の通信ネットワークにおけるセッション確立中に、前記コアネットワークスライスの前記識別情報を送信するステップ、
を含む、請求項１〜７のいずれか一項に記載の、通信サービスを提供するための方法。
【請求項９】
前記セッション確立が、前記アプリケーションが前記通信サービスを使用することを可能にするセッションの確立を含む、
請求項８に記載の、通信サービスを提供するための方法。
【請求項１０】
前記第１の通信ネットワークが４Ｇ通信ネットワークであり、前記第２の通信ネットワークが５Ｇ通信ネットワークである、
請求項１〜９のいずれか一項に記載の、通信サービスを提供するための方法。
【請求項１１】
前記ベアラがＥＰＳベアラである、請求項１０に記載の、通信サービスを提供するための方法。
【請求項１２】
前記ベアラが、前記移動端末とパケットデータネットワークゲートウェイとの間の接続である、請求項１０又は１１に記載の、通信サービスを提供するための方法。
【請求項１３】
前記アプリケーションが前記４Ｇ通信ネットワークのアクセスポイント名と関連付けられる、請求項１０〜１２のいずれか一項に記載の、通信サービスを提供するための方法。
【請求項１４】
第１の通信ネットワークの通信ネットワークコンポーネントであって、
アプリケーションを作動させている移動端末のために、プロトコル構成オプションを介して第２の通信ネットワークのコアネットワークスライスの識別情報を前記移動端末に送信するように構成されている送信機、を備え、
前記第１の通信ネットワークは、前記移動端末と前記第１の通信ネットワークのコアネットワークとの間でベアラを使用して前記アプリケーションに通信サービスを提供し、
前記コアネットワークスライスは、前記第２の通信ネットワークによって前記アプリケーションに前記通信サービスを提供するときに使用され、
前記通信ネットワークコンポーネントは、前記第１の通信ネットワークのネットワークゲートウェイであり、
前記第１の通信ネットワークのネットワークゲートウェイは、パケットデータネットワークゲートウェイ制御プレーンおよびセッション管理機能（ＰＧＷ−Ｃ＋ＳＭＦ）である、
第１の通信ネットワークの通信ネットワークコンポーネント。
【請求項１５】
移動端末であって、
アプリケーションを作動させるように構成されているプロセッサと、
前記移動端末と第１の通信ネットワークのコアネットワークとの間でベアラを使用して前記アプリケーションに通信サービスを提供する前記第１の通信ネットワークのネットワークゲートウェイから、プロトコル構成オプションを介して、第２の通信ネットワークのコアネットワークスライスの識別情報を受信するように構成されている送受信機であって、前記コアネットワークスライスは、前記第２の通信ネットワークによって前記アプリケーションに前記通信サービスを提供するときに使用される、当該送受信機と、
を備え、
前記送受信機は、前記第２の通信ネットワークの前記コアネットワークスライスに基づいて前記通信サービスを使用するように構成されており、
前記第１の通信ネットワークのネットワークゲートウェイは、パケットデータネットワークゲートウェイ制御プレーンおよびセッション管理機能（ＰＧＷ−Ｃ＋ＳＭＦ）である、
移動端末。
【発明の詳細な説明】
【技術分野】
【０００１】
本開示は、通信サービスを提供するための方法及び通信ネットワークコンポーネントに関する。
【背景技術】
【０００２】
５Ｇによる移動無線通信ネットワークのコアネットワークは一般的に、複数のコアネットワークスライスを含み、各コアネットワークスライスは、Ｖ２Ｘ（ビークルツーエブリシング（Ｖｅｈｉｃｌｅ−ｔｏ−Ｅｖｅｒｙｔｈｉｎｇ））又はｅＭＢＢ（高度モバイルブロードバンド（ｅｎｈａｎｃｅｄ  Ｍｏｂｉｌｅ  Ｂｒｏａｄｂａｎｄ））のような、特定の通信サービスを提供する役割を果たす。５Ｇに従って動作する、すなわち、５Ｇ移動通信ネットワークの加入者端末として作用する移動端末（ＵＥ）１０２において、５Ｇ移動通信ネットワークによって提供される通信サービスを使用することを意図している各アプリケーションは、ネットワークスライスを識別するＳ−ＮＳＳＡＩ（単一ネットワークスライス選択支援情報（Ｓｉｎｇｌｅ  Ｎｅｔｗｏｒｋ  Ｓｌｉｃｅ  Ｓｅｌｅｃｔｉｏｎ  Ａｓｓｉｓｔａｎｃｅ  ｉｎｆｏｒｍａｔｉｏｎ））と関連付けられる。しかし、４Ｇに従って動作する、すなわち、４Ｇ移動通信ネットワークの加入者端末として作用する移動端末（ＵＥ）において、４Ｇ移動通信ネットワークによって提供される通信サービスを使用することを意図している各アプリケーションは、４Ｇによればネットワークスライスインスタンスが提供されないため、Ｓ−ＮＳＳＡＩではなくアクセスポイント名と関連付けられる。
【０００３】
それゆえ、移動端末が４Ｇ通信ネットワークから５Ｇ通信ネットワークへと移動する場合、通信サービスを使用するアプリケーションをＳ−ＮＳＳＡＩと関連付けることを可能にし、以て、アプリケーションが５Ｇ通信ネットワークを介して引き続き通信サービスを使用することができるメカニズムが望ましい。
【発明の概要】
【０００４】
一実施形態によれば、通信サービスを提供する方法であって、移動端末が、アプリケーションを作動させるステップと、第１の通信ネットワークが、移動端末と第１の通信ネットワークのコアネットワークとの間でベアラを使用してアプリケーションに通信サービスを提供するステップと、第１の通信ネットワークが、第２の通信ネットワークのコアネットワークスライスの識別情報を移動端末に送信するステップであり、コアネットワークスライスは、第２の通信ネットワークによってアプリケーションに通信サービスを提供するときに使用されることになる、送信するステップと、移動端末が、第２の通信ネットワークのコアネットワークスライスに基づいて通信サービスを使用するステップとを含む、通信サービスを提供する方法が提供される。
【０００５】
さらに、上記方法による通信ネットワークコンポーネント及び移動端末が提供される。
【０００６】
図面において、同様の参照符号は、概して異なる複数の図全体を通じて同じ部分を参照する。図面は、必ずしも原寸に比例してはおらず、むしろ、概して本発明の原理を説明していることが強調されるものである。以下の説明において、様々な態様を、添付の図面を参照して説明する。
【図面の簡単な説明】
【０００７】
【図１】無線通信システムを示す図である。
【図２】４Ｇにおけるアプリケーションとアクセスポイント名との関連付け、及び、５ＧにおけるアプリケーションとＳ−ＮＳＳＡＩ（単一ネットワークスライス選択支援情報）との関連付けを示す図である。
【図３】通信構成を示す図である。
【図４】４Ｇアタッチ手順におけるスライスマッピング情報の送信の一例を示すフロー図である。
【図５】５ＧＳ（５Ｇシステム）アイドルモードモビリティに対するＥＰＳ（発展型パケットシステム）の手順を示すフロー図である。
【図６】通信サービスを提供するための方法を示すフロー図である。
【図７】通信ネットワークコンポーネントを示す図である。
【発明を実施するための形態】
【０００８】
以下の詳細な説明は、例示として、本発明を実践することができる本開示の特定の詳細及び態様を示す、添付の図面を参照する。他の態様を利用することができ、本発明の範囲から逸脱することなく、構造的、論理的及び電気的な変更を為すことができる。本開示のいくつかの態様は新たな態様を形成するために本開示の１つ又は複数の他の態様と組み合わされてもよいため、本開示の様々な態様は、必ずしも相互に排他的ではない。
【０００９】
図１は、５Ｇによる無線通信システムを示す。
【００１０】
無線通信システム１００は、ＵＥ（ユーザ機器）、ナノ機器（ＮＥ：ｎａｎｏ  ｅｑｕｉｐｍｅｎｔ）などのような、移動無線端末デバイス１０２を含む。加入者端末とも呼ばれる移動無線端末デバイス１０２は、端末側を形成し、一方、以下に記載されている無線通信システム１００の他の構成要素は、移動無線通信ネットワーク側の一部分、すなわち、移動無線通信ネットワークの一部分である。
【００１１】
さらに、無線通信システム１００は、５Ｇ（第５世代）無線アクセス技術（５Ｇ  Ｎｅｗ  Ｒａｄｉｏ）に従って無線アクセスを提供するように構成されている複数の無線アクセスネットワークノード、すなわち基地局を含むことができる、無線アクセスネットワーク１０３を含む。無線通信システム１００はまた、ＬＴＥ（ロングタームエボリューション）又は別の移動無線通信規格に従って構成されてもよいが、本明細書においては５Ｇが一実施例として使用されることが留意されるべきである。各無線アクセスネットワークノードは、エアインターフェースを介して無線通信端末デバイス１０２との無線通信を可能にすることができる。無線アクセスネットワーク１０３は、任意の数の無線アクセスネットワークノードを含んでもよいことが留意されるべきである。
【００１２】
無線通信システム１００は、ＲＡＮ１０３に接続されているアクセス・モビリティ管理機能（ＡＭＦ：Ａｃｃｅｓｓ  ａｎｄ  Ｍｏｂｉｌｉｔｙ  Ｍａｎａｇｅｍｅｎｔ  Ｆｕｎｃｔｉｏｎ）１０１、統合データ管理（ＵＤＭ）１０４及びネットワークスライス選択機能（ＮＳＳＦ）１０５を含むコアネットワークをさらに含む。ここで、及び、以下の実施例において、ＵＤＭは、例えば、ＵＤＲ（統合データリポジトリ）として知られている、実際のＵＥの加入データベースからさらに構成され得る。コアネットワークは、ＡＵＳＦ（認証サーバ機能）１１４及びＰＣＦ（ポリシ制御機能）１１５をさらに備える。
【００１３】
コアネットワークは、複数のネットワークスライス１０６、１０７を有することができ、各ネットワークスライス１０６、１０７について、オペレータは、複数のネットワークスライスインスタンス（ＮＳＩ）１０８、１０９を作成することができる。この実施例において、コアネットワークは、高度モバイルブロードバンド（ｅＭＢＢ）を提供するための３つのコアネットワークスライスインスタンス（ＣＮＩ）１０８を有する第１のコアネットワークスライス１０６と、ビークルツーエブリシング（Ｖ２Ｘ）を提供するための３つのコアネットワークスライスインスタンス（ＣＮＩ）１０９を有する第２のコアネットワークスライス１０７とを備える。
【００１４】
一般的に、ネットワークスライスが展開されると、ネットワーク機能（ＮＦ）がインスタンス化されるか、又は、（すでにインスタンス化されている場合）ネットワークスライスインスタンス（ＮＳＩ）を形成するために参照され、ネットワークスライスインスタンスに属するネットワーク機能が、ネットワークスライスインスタンス識別情報を用いて構成される。
【００１５】
具体的には、この実施例においては、第１のコアネットワークスライス１０６の各インスタンス１０８は、第１のセッション管理機能（ＳＭＦ）１１０及び第１のユーザプレーン機能（ＵＰＦ）１１１を含み、第２のコアネットワークスライス１０７の各インスタンス１０９は、第２のセッション管理機能（ＳＭＦ）１１２及び第２のユーザプレーン機能（ＵＰＦ）１１３を含む。
【００１６】
５Ｇに従って動作する、すなわち、５Ｇ移動通信ネットワークの加入者端末として作用する移動端末（ＵＥ）１０２において、５Ｇ移動通信ネットワークによって提供される通信サービスを使用することを意図している各アプリケーションは、Ｓ−ＮＳＳＡＩと関連付けられる。
【００１７】
Ｓ−ＮＳＳＡＩ（単一ネットワークスライス選択支援情報）は、ネットワークスライスを識別し、
特徴及びサービスに関して予測されるネットワークスライス挙動を参照するスライス／サービスタイプ（ＳＳＴ）、
同じスライス／サービスタイプの複数のネットワークスライスの間で区別するためにスライス／サービスタイプ（複数可）を補間する任意選択の情報であるスライス微分子（ＳＤ：Ｓｌｉｃｅ  Ｄｉｆｆｅｒｅｎｔｉａｔｏｒ）
から構成される。
【００１８】
ＮＳＳＡＩは、Ｓ−ＮＳＳＡＩの集合である。
【００１９】
許可されているＮＳＳＡＩは、現在の登録領域のサービスしているＰＬＭＮ（公衆陸上移動体ネットワーク）内のＵＥについてネットワークによって許可されているＮＳＳＡＩを示す、例えば登録手順の間にサービスしているＰＬＭＮによって提供されるＮＳＳＡＩである。
【００２０】
構成されているＮＳＳＡＩは、ＵＥ内で供給されているＮＳＳＡＩである。要求されているＮＳＳＡＩは、ＵＥがネットワークに提供することができるＮＳＳＡＩである。加入されているＳ−ＮＳＳＡＩは、ＵＥがＰＬＭＮにおいて使用するために加入されている、加入者情報に基づくＳ−ＮＳＳＡＩである。
【００２１】
しかしながら、４Ｇに従って動作する、すなわち、４Ｇ移動通信ネットワークの加入者端末として作用する移動端末（ＵＥ）、例えば、４Ｇネットワークに接続されている５Ｇ移動端末において、４Ｇ移動通信ネットワークによって提供される通信サービスを使用することを意図している各アプリケーションは、４Ｇによればネットワークスライスインスタンスが提供されないため、Ｓ−ＮＳＳＡＩではなくアクセスポイント名と関連付けられる。
【００２２】
図２は、４Ｇにおけるアプリケーションとアクセスポイント名との関連付け、及び、５ＧにおけるアプリケーションとＳ−ＮＳＳＡとの関連付けを示す図である。
【００２３】
４Ｇ移動通信システム２０１は、４Ｇ  ＵＥ２０２、すなわち、４Ｇに従って動作するＵＥと、ＥＰＣ（発展型パケットコア）２０３、すなわち、４Ｇコアネットワークとを備える。ＥＰＣ２０３は、第１のＰＧＷ（パケットデータネットワークゲートウェイ）２０４と、第２のＰＧＷ２０５とを備える。第１のＰＧＷ２０４は、第１のＡＰＮ（アクセスポイント名）ＡＰＮ＃１  ２０６を有するゲートウェイに接続され、第２のＰＧＷ２０５は、第２のＡＰＮ  ＡＰＮ＃２  ２０７を有するゲートウェイに接続される。ＡＰＮゲートウェイ２０６、２０７は、例えば、４Ｇ通信システム２０１とインターネットとの間のゲートウェイである。
【００２４】
この実施例においては、ＡＰＰ＃１〜ＡＰＰ＃４として示されている４つのアプリケーションが、４Ｇ  ＵＥ２０２上で作動している。４Ｇ移動通信ネットワーク（そのコアネットワークはＥＰＣ２０３である）によって提供される通信サービス（例えば、インターネットアクセス）を使用することを可能にするために、各アプリケーションは、ＡＰＮ＃１又はＡＰＮ＃２のいずれかと関連付けられる。
【００２５】
４Ｇ  ＵＥ２０２は、それぞれのＥＰＳ（発展型パケットシステム）ベアラによってＰＧＷ２０４、２０５の各々に接続する。各ＥＰＳベアラは、ベアラサービス、すなわち、特定のＱｏＳ（サービス品質）属性による輸送サービスを提供する。ベアラに関連付けられるＱｏＳパラメータは、ＱＣＩ（ＱｏＳクラス識別子）、ＡＲＰ（割当・保持優先順位）、ＧＢＲ（保証ビットレート）及びＡＭＢＲ（総合最大ビットレート）である。したがって、１つ又は複数のアプリケーション（複数可）とＡＰＮとの関連付けは、１つ又は複数のアプリケーションとＥＰＳベアラとの関連付けに対応することが留意されるべきである。
【００２６】
５Ｇ移動通信システム２０８は、５Ｇ  ＵＥ２０９、すなわち、５Ｇに従って動作するＵＥと、５Ｇコアネットワーク（５ＧＣ）２１０とを備える。５ＧＣ２１０は、Ｓ−ＮＳＳＡＩ＃１によって識別される第１のネットワークスライス２１１と、Ｓ−ＮＳＳＡＩ＃２によって識別される第２のネットワークスライス２１２と、Ｓ−ＮＳＳＡＩ＃３によって識別される第３のネットワークスライス２１３とを備える。第１のネットワークスライス２１１は、第１のデータネットワーク名ＤＮＮ＃１によって識別される第１のデータネットワーク２１４及び第２のデータネットワーク名ＤＮＮ＃２によって識別される第２のデータネットワーク２１５に接続され、第２のネットワークスライス２１２は、第１のデータネットワーク２１４に接続され、第３のネットワークスライス２１３は、第３のデータネットワーク名ＤＮＮ＃３によって識別される第３のデータネットワーク２１６に接続される。
【００２７】
ＡＰＰ＃１〜ＡＰＰ＃４として示されている４つのアプリケーションが、５Ｇ  ＵＥ２０９上で作動している。５Ｇ移動通信ネットワーク（そのコアネットワークは５ＧＣ２１０である）によって提供される通信サービス（例えば、インターネットアクセス）を使用することを可能にするために、各アプリケーションは、Ｓ−ＮＳＳＡＩ＃１又はＮＳＳＡＩ＃２のいずれか、及び、それぞれのネットワークスライスに接続されているデータネットワークのＤＮＮと関連付けられる。
【００２８】
５Ｇ  ＵＥ２０９は、各アプリケーションをＳ−ＮＳＳＡＩにマッピングするＮＳＳＰ（ネットワークスライス選択ポリシ）機能を有する。ＮＳＳＰは５ＧＣ２１０によって提供される。
【００２９】
ＵＥの４Ｇ移動通信ネットワークから５Ｇ移動通信ネットワークへのハンドオーバの場合などに、４Ｇ  ＵＥ２０２が５Ｇ  ＵＥ２０９へと移動するという状況が生じる場合がある。ＵＥ（例えば、２つのＥＰＳベアラが確立されている）がＥＰＳベアラと５ＧＣ  Ｓ−ＮＳＳＡＩとの間で１対１又は１対Ｎ又はＮ対Ｎでマッピングすることを可能にするメカニズムが望ましい。
【００３０】
ＥＰＣ２０３は、ＰＤＮ（パケットデータネットワーク）接続に対応する５Ｇパラメータを割り当てることができ、例えば、セッションＡＭＢＲ及びＱｏＳ規則が、ＰＧＷ−Ｃ＋ＳＭＦ（ＰＧＷ制御プレーン＋ＳＭＦ）によって割り当てられ、ＰＣＯ（プロトコル構成オプション）を介してＵＥに送信される。例えば、ＰＧＷ−Ｃ＋ＳＭＦは、ＰＧＷ−Ｃ＋ＳＭＦアドレスとＡＰＮアドレスとの組み合わせに基づいて、ＥＰＳベアラのＳ−ＮＳＳＡＩを決定する。この決定が目標とするところは、レガシハンドオーバ手順の原則に従うことである。これは、ハンドオーバ中にＵＥとネットワークとの間にＮＡＳレベル通信はないこと、及び、標的システムにおいてＵＬデータをシームレスに送信し続けるために、ＵＥはハンドオーバ前に標的システム内のＱｏＳパラメータを知っていなければならないことを意味する。ＰＣＯは、ＵＥとＰＧＷとの間のトランスペアレントなコンテナ（ｔｒａｎｓｐａｒｅｎｔ  ｃｏｎｔａｉｎｅｒ）である。ＰＣＯは、ＰＤＮ接続確立及び修正中に、ＥＰＳ  ＱｏＳパラメータ及びそのパラメータの対応する５ＧシステムＱｏＳパラメータを含むことができるＱｏＳパラメータを、ＰＧＷからＵＥへと搬送するために使用される。
【００３１】
万一の場合には、ＰＧＷ−Ｃ＋ＳＭＦが、同じＡＰＮに指定されている複数のＥＰＳベアラにサービスするが、各ＥＰＳベアラは、同じＰＧＷ−Ｃ＋ＳＭＦによって割り当てられる、異なるＳ−ＮＳＳＡＩと関連付けられる。ＰＧＷ−Ｃ＋ＳＭＦがそれらのＥＰＳベアラを区別することが可能であること、及び、それらのＥＰＳベアラの異なるＳ−ＮＳＳＡＩを割り当てることが可能であることを可能にするために、そのような場合、ＥＰＣにおけるＥＰＳベアラ確立手順の間、ＵＥは、確立するためのＥＰＳベアラの差を区別する追加のパラメータ（例えば、異なるＥＰＳベアラの異なるＱｏＳパラメータ）を送信する必要がある。
【００３２】
４Ｇから５Ｇへのハンドオーバの場合のＵＥにおけるＰＤＵセッションマッピングのための１つの手法は、ＵＥがＰＤＵセッションのスライスマッピングを維持することである（ＵＥはＮＳＳＰを使用して、ＰＤＮ接続に対応するＡＰＮに関連付けられているＳ−ＮＳＳＡＩを識別する）。５ＧＣ対応ＵＥは、５ＧＣに接続されるときと、ＥＰＣに接続されるときの両方において、ＮＳＳＰを使用することができる。しかしながら、この手法は、ＵＥにおける静的構成、すなわち、ＡＰＮにマッピングされるＳ−ＮＳＳＡＩを必要とし、複数のコアネットワークスライスが同じＡＰＮゲートウェイに接続される場合には可能でない。
【００３３】
４Ｇから５Ｇへのハンドオーバの場合のＵＥにおけるＰＤＵセッションマッピングのためのもう１つの手法は、ＡＭＦが、ＡＭＦセットＩＤ（許可されているＮＳＳＡＩ）及びＰＧＷ−Ｃ／ＳＭＦ  ＩＤに基づいて関連付けられるＳ−ＮＳＳＡＩを決定し、登録手順中に（ＤＮＮ，Ｓ−ＮＳＳＡＩ）対をＵＥに提供することである。より動的な情報のマッピングが、登録手順中に５ＧＣによって可能にされる。しかしながら、ＵＥと５ＧＣとの間にＮＡＳシグナリングがないことがあるため、接続モードにおけるハンドオーバの場合には、このマッピングは効率的ではない。この期間中、ＰＤＵセッションを確立することを意図する任意の新たなアプリケーションについて、ＵＥは、まだ５ＧＣからマッピング情報を受信していないため、ＵＥは、既存の（ＵＥ内の）Ｓ−ＮＳＳＡＩ又は新たなＳ−ＮＳＳＡＩを使用する必要があるか分からない。さらに、ＲＡＮスライシングについて、ＲＡＮはＡＭＦからスライス情報を受信せず、以て、この手法は機能しないため、ＵＥは、ＲＡＮにＳ−ＮＳＳＡＩを送信する必要がある。
【００３４】
以下において、ＥＰＣがＵＥにＥＰＳベアラのＳ−ＮＳＳＡＩへのマッピングを提供する実施形態が説明される。
【００３５】
図３は、通信構成３００を示す。
【００３６】
図２と同様に、通信構成３００は、４Ｇ  ＵＥ３０１及び５Ｇ  ＵＥ３０２を備え、これらのＵＥは、最初は４Ｇ  ＵＥ３０１として動作し、移動又はハンドオーバの後、５Ｇ  ＵＥ３０２として動作する同じ移動端末であってもよい。すなわち、ＵＥ３０１、３０２は、最初は４Ｇ移動通信ネットワークに接続され、その後、５Ｇ移動通信ネットワークに接続される同じＵＥであってもよい。
【００３７】
４Ｇ  ＵＥ３０１は、４Ｇ無線アクセスネットワーク３０３、すなわち、Ｅ−ＵＴＲＡＮ（発展型ＵＭＴＳ（ユニバーサルモバイルテレコミュニケーションシステム）地上無線アクセスネットワーク）を介して、４Ｇコアネットワークの一部分であるＭＭＥ（モビリティ管理エンティティ）３０４及びＳＧＷ（サービングゲートウェイ）３０５に接続される。
【００３８】
５Ｇ  ＵＥ３０２は、５Ｇコアネットワークの一部分である５Ｇ無線アクセスネットワーク３０６及びＡＭＦ３０７に接続される。
【００３９】
通信構成３００は、４Ｇ機能と５Ｇ機能とを組み合わせ、４Ｇコアネットワークと５Ｇコアネットワークの両方に属すると考えることができる構成要素を備える。これらの構成要素は、ＵＰＦ＋ＰＧＷ−Ｕ（ＰＧＷユーザプレーン）３０８、ＳＭＦ＋ＰＧＷ−Ｃ３０９、ＰＣＦ＋ＰＣＲＦ（ポリシ・課金規則機能）３１０及びＨＳＳ（ホーム加入者サーバ）＋ＵＤＭ（統合データ管理）３１１を含む。
【００４０】
ＳＧＷ３０５は、ＳＭＦ＋ＰＧＷ−Ｃ３０９及びＵＰＦ＋ＰＧＷ−Ｕ３０８に接続される。ＭＭＥ３０４はＨＳＳ＋ＵＤＭ３１１に接続される。ＡＭＦ３０７は、ＰＣＦ  ＰＣＲＦ３１０、ＨＳＳ＋ＵＤＭ３１１及びＳＭＦ＋ＰＧＷ−Ｃ３０９に接続される。５Ｇ  ＲＡＮ３０６はＵＰＦ＋ＰＧＷ−Ｕ３０８に接続される。
【００４１】
さらに、ＭＭＥ３０４とＡＭＦ３０７とが接続される。
【００４２】
一実施形態によれば、ＵＥ３０１が４Ｇ通信システム内でＥＰＳベアラを確立するとき、ＵＥ３０１は、５Ｇ相互接続のためのＰＤＵセッションＩＤを含み、ＰＣＯを介して、このＩＤをＰＧＷ−Ｃ＋ＳＭＦ３０９に送信する。ＰＧＷ−Ｃ＋ＳＭＦ３０９は、例えば、セッションＡＭＢＲ、Ｓ−ＮＳＳＡＩ（スライスタイプを表す）及びＱｏＳ規則などの、確立されるべきＥＰＳベアラに対応する５Ｇパラメータを割り当て、ＰＣＯを介してそれらのパラメータをＵＥに送信する。
【００４３】
ＵＥ３０１は５Ｇパラメータを記憶し、ＵＥが４Ｇから５Ｇに（すなわち、ＥＰＳから５Ｇシステムに）ハンドオーバされるときに、それらのパラメータを使用する。ＵＥ３０１は、Ｓ−ＮＳＳＡＩ（ＰＣＯを介してＰＧＷ−Ｃ＋ＳＭＦによって提供される）及びＡＰＮのマッピングを維持する。
【００４４】
図４は、４Ｇアタッチ手順におけるスライスマッピング情報の送信の一例を示すフロー図４００を示す。
【００４５】
フローは、ＵＥ４０１、ｅＮｏｄｅＢ４０２、新たなＭＭＥ４０３（ＵＥ４０１がアタッチする）、古いＭＭＥ／ＳＧＳＮ４０４、ＳＧＷ４０５、ＰＧＷ４０６、ＰＣＲＦ４０７及びＨＳＳ４０８の間で行われる。
【００４６】
４０９において、ＵＥ４０１がアタッチ要求をｅＮｏｄｅＢ４０２に送信し、ｅＮｏｄｅＢ４０２は４１０において新たなＭＭＥ４０３に転送する。４１１において、新たなＭＭＥ４０３は、識別要求を古いＭＭＥ／ＳＧＳＮ４０４に送信し、４１２においてその識別要求に古いＭＭＥ／ＳＧＳＮ４０４が応答する。
【００４７】
４１３において、新たなＭＭＥ４０３は、識別要求をＵＥ４０１に送信し、４１４においてその識別要求にＵＥ４０１が応答する。
【００４８】
４１５において、ＵＥ４０１及び新たなＭＭＥ４０３は認証及びセキュリティ設定を実施する（例えば、加入者情報を求めてＨＳＳ４０８にアクセスすることを含む）。
【００４９】
４１６において、ＵＥ４０１と新たなＭＭＥ４０３との間でアイデンティティ要求／応答交換が行われ、４１７において、ＥＩＲ（機器アイデンティティレジスタ）とのＭＥアイデンティティチェック交換が行われる。
【００５０】
４１８において、新たなＭＭＥ４０３は、暗号化オプション要求をＵＥ４０１に送信し、ＵＥ４０１は暗号化オプション要求に４１９において応答する。
【００５１】
４２０において、新たなＭＭＥ４０３は、ＳＧＷ４０５を介してセッション消去要求（ｄｅｌｅｔｅ  ｓｅｓｓｉｏｎ  ｒｅｑｕｅｓｔ）をＰＧＷ４０６に送信する。４２１において、ＰＧＷ４０６及びＰＣＲＦ４０７は、ＰＣＥＦ開始ＩＰ−ＣＡＮセッション終了（ＰＣＥＦ  Ｉｎｉｔｉａｔｅｄ  ＩＰ−ＣＡＮ  Ｓｅｓｓｉｏｎ  Ｔｅｒｍｉｎａｔｉｏｎ）を実施する。４２２において、ＰＧＷ４０６は、ＳＧＷ４０５を介して新たなＭＭＥ４０３にセッション消去応答を送信する。
【００５２】
４２３において、新たなＭＭＥ４０３は、位置更新要求（ｕｐｄａｔｅ  ｌｏｃａｔｉｏｎ  ｒｅｑｕｅｓｔ）をＨＳＳ４０８に送信する。４２４において、ＨＳＳ４０８は、位置キャンセルメッセージ（ｃａｎｃｅｌ  ｌｏｃａｔｉｏｎ  ｍｅｓｓａｇｅ）を古いＭＭＥ／ＳＧＳＮ４０４に送信し、古いＭＭＥ／ＳＧＳＮ４０４は４２５において確認応答する。
【００５３】
４２６において、古いＭＭＥ４０３は、ＳＧＷ４０５を介してセッション消去要求をＰＧＷ４０６に送信する。４２７において、ＰＧＷ４０６及びＰＣＲＦ４０７は、ＰＣＥＦ開始ＩＰ−ＣＡＮセッション終了を実施する。４２８において、ＰＧＷ４０６は、ＳＧＷ４０５を介して古いＭＭＥ４０３にセッション消去応答を送信する。
【００５４】
４２９において、ＨＳＳ４０８は、位置更新確認応答を新たなＭＭＥ４０３に送信する。
【００５５】
４３０において、新たなＭＭＥ４０３が、セッション作成要求（ｃｒｅａｔｅ  ｓｅｓｓｉｏｎ  ｒｅｑｕｅｓｔ）をＳＧＷ４０５に送信し、ＳＧＷ４０５は４３１においてＰＧＷ４０６に転送する。４３２において、ＰＧＷ４０６及びＰＣＲＦ４０７は、ＰＣＥＦ開始ＩＰ−ＣＡＮセッション確立／修正（ＰＣＥＦ  Ｉｎｉｔｉａｔｅｄ  ＩＰ−ＣＡＮ  Ｓｅｓｓｉｏｎ  Ｅｓｔａｂｌｉｓｈｍｅｎｔ／Ｍｏｄｉｆｉｃａｔｉｏｎ）を実施する。
【００５６】
４３３において、ＰＧＷ４０６は、ＳＧＷ４０５にセッション作成応答（ｃｒｅａｔｅ  ｓｅｓｓｉｏｎ  ｒｅｓｐｏｎｓｅ）を送信する。他の５Ｇパラメータ、すなわち、ＱｏＳ、セッションＡＭＢＲとともに、ＰＧＷ４０６（すなわち、ＰＧＷ−Ｃ／ＳＭＦに対応する）はまた、ＥＰＳベアラ（４０１とＰＧＷ４０６との間の接続を可能にする）のマッピングされたＳ−ＮＳＳＡＩをも、ＰＣＯを介してＵＥに提供する。
【００５７】
４３４において、ハンドオーバが行われない場合、ＰＧＷ４０６は第１のダウンリンクデータをＳＧＷ４０５に送信する。
【００５８】
４３５において、ＳＧＷ４０６は、新たなＭＭＥ４０３にセッション作成応答を転送する。４３６において、新たなＭＭＥ４０３は、初期コンテキスト設定要求（ｉｎｉｔｉａｌ  ｃｏｎｔｅｘｔ  ｓｅｔｕｐ  ｒｅｑｕｅｓｔ）又はアタッチ許可を伴うダウンリンクＮＡＳトランスポート（ｄｏｗｎｌｉｎｋ  ＮＡＳ  ｔｒａｎｓｐｏｒｔ  ｗｉｔｈ  ａｔｔａｃｈ  ａｃｃｅｐｔ）をｅＮｏｄｅＢ４０２に送信する。
【００５９】
４３７において、ｅＮｏｄｅＢ４０２は、ＲＲＣ接続再構成又はＲＲＣ直接転送（ＲＲＣ  ｄｉｒｅｃｔ  ｔｒａｎｓｆｅｒ）をＵＥ４０１に送信し、ＵＥは４３８において応答する。
【００６０】
４３９において、ｅＮｏｄｅＢは、新たなＭＭＥ４０３に初期コンテキスト設定応答（ｉｎｉｔｉａｌ  ｃｏｎｔｅｘｔ  ｓｅｔｕｐ  ｒｅｓｐｏｎｓｅ）を送信する。
【００６１】
４４０において、ＵＥが直接転送をｅＮｏｄｅＢ４０２に送信し、ｅＮｏｄｅＢ４０２は、４４１において、アタッチ完了メッセージ（ａｔｔａｃｈ  ｃｏｍｐｌｅｔｅ  ｍｅｓｓａｇｅ）を新たなＭＭＥ４０３に送信する。
【００６２】
４４２において、ＵＥ４０１は、ＳＧＷ４０５を介して第１のアップリンクデータをＰＧＷ４０６に送信する。
【００６３】
４４３において、新たなＭＭＥ４０３が、ベアラ修正要求（ｍｏｄｉｆｙ  ｂｅａｒｅｒ  ｒｅｑｕｅｓｔ）をＳＧＷ４０５に送信し、ＳＧＷ４０５は、４４４において、ベアラ修正要求をＰＧＷ４０６に転送し、ベアラ修正要求にＰＧＷ４０６は４４５において応答する。
【００６４】
４４６において、ＳＧＷ４０５が、ベアラ修正応答（ｍｏｄｉｆｙ  ｂｅａｒｅｒ  ｒｅｓｐｏｎｓｅ）を新たなＭＭＥ４０３に送信し、４４７において、ＰＧＷ４０６が、ＳＧＷ４０５を介して、第１のダウンリンクデータをＵＥ４０１に送信する。
【００６５】
４４８において、新たなＭＭＥ４０３は、通知要求（ｎｏｔｉｆｙ  ｒｅｑｕｅｓｔ）をＨＳＳ４０８に送信し、通知要求にＨＳＳ４０８は４４９において応答する。
【００６６】
４５０において、ＵＥ４０１は、Ｓ−ＮＳＳＡＩ（４３３のセッション作成応答に含まれ、４３５、４３６及び４３７においてＵＥ４０１に通信される）をＥＰＳベアラにマッピングする。
【００６７】
ＵＥ４０１は、マッピングされたＳ−ＮＳＳＡＩを５Ｇへのハンドオーバに使用することができる。
【００６８】
図５は、５ＧＳアイドルモードモビリティに対するＥＰＳの手順を示すフロー図５００を示す。
【００６９】
フローは、例えばＵＥ４０１に対応するＵＥ５０１、５Ｇ  ＲＡＮ５０２、例えば新たなＭＭＥ４０３に対応するＭＭＥ５０３、ＡＭＦ５０４、ＰＧＷ−Ｃ＋ＳＭＦ５０５及びＰＧＷ−Ｕ＋ＵＰＦ５０６（例えば、ともにＰＧＷ４０６を実装する）、例えばＰＣＲＦ４０７を実装するＰＣＦ＋ＰＣＲＦ５０７並びにＨＳＳ＋ＵＤＭ５０８の間で行われる。
【００７０】
ＰＤＮ接続の設定及び専用ベアラ設定は、ＥＰＣにおいて実施されており、ＵＥ５０１はアイドルモードにあると仮定される。
【００７１】
５０９において、（４Ｇから５Ｇへのハンドオーバに起因して）登録がトリガされると仮定される。アイドルモード中にＥＰＳから５ＧＳへのＵＥハンドオーバがトリガされると、ＵＥ５０１は、ＰＧＷ−Ｃ、例えば図４のＰＧＷ４０６から受信されるＳ−ＮＳＳＡＩ（複数可）を、ＵＥ上で作動するアプリケーションにマッピングし、当該アプリケーションは、Ｓ−ＮＳＳＡＩ（複数可）にマッピングされるベアラによってサービスされる。
【００７２】
５１０において、５０１は、アプリケーションにマッピングされている１つ又は複数のＳ−ＮＳＳＡＩを、登録要求において要求されているＮＳＳＡＩとして５Ｇ  ＲＡＮ５０２に送信する。
【００７３】
５１１において、ＲＡＮ５０２は、ＡＭＦ選択を実施し、５１２においてＡＭＦ５０４に対する登録要求を、選択されているＡＭＦ５０４に転送する。ＲＡＮ５０２は、ＧＵＴＩ（グローバルに一意な一時的ＩＤ（Ｇｌｏｂａｌｌｙ  Ｕｎｉｑｕｅ  Ｔｅｍｐｏｒａｒｙ  ＩＤ））が有効でないか、又は、正しいＡＭＦを識別しない場合に、要求されているＮＳＳＡＩをＡＭＦ選択に使用することができる。
【００７４】
５１３において、ＡＭＦ５０４がコンテキスト要求（ｃｏｎｔｅｘｔ  ｒｅｑｕｅｓｔ）をＭＭＥ５０３に送信し、ＭＭＥ５０３は、５１４において、コンテキスト応答（ｃｏｎｔｅｘｔ  ｒｅｓｐｏｎｓｅ）をＡＭＦ５０４に送信する。
【００７５】
５１５において、ＡＭＦ５０４及びＵＥ５０１は認証及びセキュリティ設定を実施する（ＨＳＳ＋ＵＤＭ５０８にアクセスすることを伴う）。
【００７６】
５１６において、ＡＭＦ５０４が、ＭＭＥ５０３にコンテキスト確認応答メッセージを送信する。
【００７７】
５１７において、さらなる登録手順ステップ（３ＧＰＰによる）が実施される。
【００７８】
５１８において、ＨＳＳ＋ＵＤＭ５０８は、位置キャンセルメッセージをＭＭＥ５０３に送信し、位置キャンセルメッセージにＭＭＥ５０３は５１９において応答する。
【００７９】
５２０において、ＡＭＦ５０４は、登録許可メッセージをＵＥ５０１に送信し、ＵＥ５０１は、５２１において、登録完了メッセージによって応答する。５２０において、ＡＭＦ５０４は、例えば、許可されているＮＳＳＡＩ（登録領域においてＵＥに対して許可されているスライスを表す）など、５Ｇ登録の一部分として、新たなＳ−ＮＳＳＡＩマッピング情報をＵＥ５０１に送信することができる。この場合、ＵＥ５０１は、既存のマッピング情報（例えば、図４のＰＧＷ４０６などのＰＧＷ−Ｃから受信される）よりも、新たなマッピング情報を優先させる。
【００８０】
要約すると、様々な実施形態によれば、通信サービスを提供するための方法が、図６に示すように提供される。
【００８１】
図６は、通信サービスを提供するための方法を示すフロー図６００を示す。
【００８２】
６０１において、移動端末が、アプリケーションを作動させる。
【００８３】
６０２において、第１の通信ネットワークが、移動端末と、第１の通信ネットワークのコアネットワークとの間のベアラを使用して、アプリケーションに通信サービスを提供する。
【００８４】
６０３において、第１の通信ネットワークが、第２の通信ネットワークのコアネットワークスライスの識別情報を移動端末に送信し、コアネットワークスライスは、第２の通信ネットワークによってアプリケーションに通信サービスを提供するときに使用されることになる。
【００８５】
６０４において、移動端末が、第２の通信ネットワークのコアネットワークスライスに基づいて通信サービスを使用する。
【００８６】
言い換えれば、様々な実施形態に従って、例えば５Ｇネットワークなどの第２の通信ネットワークが移動端末のアプリケーションに通信サービスを提供するコアネットワークスライスに関する情報が、例えば４Ｇネットワークなどの第１の通信ネットワーク（コアネットワークスライスによって通信ネットワークを提供せず、ベアラによって提供する）によって移動端末に送信される。この情報は、ベアラのコアネットワークスライスに対するマッピングに関する情報として考えることができる。移動端末は、複数のアプリケーションを作動させることができ、各アプリケーションについて、図６の方法を実施することができる。
【００８７】
例えば、ＰＧＷ−Ｃ＋ＳＭＦによるＥＰＣにおけるＰＤＵセッション確立中に、移動端末（すなわち、４Ｇ及び５Ｇ通信ネットワークの場合はＵＥ）のためのスライス情報を提供するメカニズムが存在する。ＵＥはその後、ＥＰＳベアラを、５Ｇコアネットワークと相互接続するためのコアネットワークスライスにマッピングする。
【００８８】
様々な実施形態によれば、図５の方法は、ＵＥが、サービス中断を一切伴うことなく、すなわち、セッション連続性を以て、４Ｇ通信ネットワークと５Ｇ通信ネットワークとの間を自由に移動することを可能にする。図５の方法は、例えば、ＵＥが、４Ｇアタッチ手順の間に５Ｇコアネットワークスライスを選択することを可能にし、したがって、例えばセッション連続性を可能にする。
【００８９】
例えば、図６に示す方法は、図７に示すような通信ネットワークコンポーネントによって実装される。
【００９０】
図７は、通信ネットワークコンポーネント７００を示す。
【００９１】
通信ネットワークコンポーネント７００は、第１の通信ネットワークのものであり、アプリケーションを作動させている移動端末について、第２の通信ネットワークのコアネットワークスライスの識別情報を移動端末に送信するように構成されている送信機７０１を備え、第１の通信ネットワークは、移動端末と第１の通信ネットワークのコアネットワークとの間でベアラを使用してアプリケーションに通信サービスを提供し、コアネットワークスライスは、第２の通信ネットワークによってアプリケーションに通信サービスを提供するときに使用されることになる。
【００９２】
通信ネットワークコンポーネントは、例えば、コアネットワークスライスの識別情報を決定するように構成されている決定手段を備えることができる。通信ネットワークコンポーネントはまた、例えば、コアネットワークスライスタイプ及びコアネットワークスライス選択ポリシに基づいてコアネットワークスライスを選択するように構成されているセレクタをも備える。
【００９３】
様々な実施例を下記に説明する。
【００９４】
実施例１は、図６に示すように通信サービスを提供するための方法である。
【００９５】
実施例２は、第２の通信ネットワークのコアネットワークスライスに基づいて通信サービスの使用を開始するときに、移動端末が、第１の通信ネットワークに基づく通信サービスの使用を停止するステップをさらに含む、実施例１による方法である。
【００９６】
実施例３は、第１の通信ネットワークから第２の通信ネットワークへの、移動端末のハンドオーバを実施するステップをさらに含む、実施例１又は２による方法である。
【００９７】
実施例４は、ハンドオーバが、第１の通信ネットワークの無線アクセスネットワークから第２の通信ネットワークの無線アクセスネットワークへのハンドオーバを含む、実施例１〜３のいずれか１つによる方法である。
【００９８】
実施例５は、通信サービスがインターネットアクセス及び／又はオペレータ及び／又はローカルサービスである、実施例１〜４のいずれか１つによる方法である。
【００９９】
実施例６は、コアネットワークスライスの識別情報が、第１の通信ネットワークのコアネットワークと第２の通信ネットワークのコアネットワークの両方に属するネットワークコンポーネントによって移動端末に送信される、実施例１〜５のいずれか１つによる方法である。
【０１００】
実施例７は、ネットワークコンポーネントが、コアネットワークスライスのタイプを決定するステップを含む、実施例１〜６のいずれか１つによる方法である。
【０１０１】
実施例８は、移動端末が、アプリケーションとコアネットワークスライスとの関連付けを記憶するステップを含む、実施例１〜７のいずれか１つによる方法である。
【０１０２】
実施例９は、第１の通信ネットワークにおけるセッション確立中に、コアネットワークスライスの識別情報を送信するステップを含む、実施例１〜８のいずれか１つによる方法である。
【０１０３】
実施例１０は、セッション確立が、アプリケーションが通信サービスを使用することを可能にするセッションの確立を含む、実施例９による方法である。
【０１０４】
実施例１１は、第１の通信ネットワークが４Ｇ通信ネットワークであり、第２の通信ネットワークが５Ｇ通信ネットワークである、実施例１〜１０のいずれか１つによる方法である。
【０１０５】
実施例１２は、ベアラがＥＰＳベアラである、実施例１１による方法である。
【０１０６】
実施例１３は、ベアラが、移動端末とパケットデータネットワークゲートウェイとの間の接続である、実施例１１又は１２による方法である。
【０１０７】
実施例１４は、アプリケーションが４Ｇ通信ネットワークのアクセスポイント名と関連付けられる、実施例１１〜１３のいずれか１つによる方法である。
【０１０８】
実施例１５は、コアネットワークスライスの識別情報が、単一ネットワークスライス選択支援情報である、実施例１１〜１４のいずれか１つによる方法である。
【０１０９】
実施例１６は、コアネットワークスライスがデータネットワーク名と関連付けられる、実施例１１〜１５のいずれか１つによる方法である。
【０１１０】
実施例１７は、コアネットワークスライスの識別情報が、第１の通信ネットワークのパケットデータネットワークゲートウェイ−制御プレーンと第２の通信ネットワークのセッション管理機能の両方を実装するネットワークコンポーネントによって、移動端末に送信される、実施例１１〜１６のいずれか１つによる方法である。
【０１１１】
実施例１８は、４Ｇ通信ネットワークにおけるパケットデータユニットセッション確立中に、コアネットワークスライスの識別情報を送信するステップを含む、実施例１１〜１７のいずれか１つによる方法である。
【０１１２】
実施例１９は、図７に示すような通信ネットワークコンポーネントである。
【０１１３】
実施例２０は、通信サービスがインターネットアクセス及び／又はオペレータ及び／又はローカルサービスである、実施例１９による通信ネットワークコンポーネントである。
【０１１４】
実施例２１は、送信機が、第１の通信ネットワークのコアネットワークと第２の通信ネットワークのコアネットワークの両方に属するネットワークコンポーネントによって、コアネットワークスライスの識別情報を移動端末に送信するように構成されている、実施例１９〜２０のいずれか１つによる通信ネットワークコンポーネントである。
【０１１５】
実施例２２は、コアネットワークスライスのタイプを決定するように構成されている決定手段を備える、実施例１９〜２１のいずれか１つによる通信ネットワークコンポーネントである。
【０１１６】
実施例２３は、送信機が、第１の通信ネットワークにおけるセッション確立中に、コアネットワークスライスの識別情報を送信するように構成されている、実施例１９〜２２のいずれか１つによる通信ネットワークコンポーネントである。
【０１１７】
実施例２４は、セッション確立が、アプリケーションが通信サービスを使用することを可能にするセッションの確立を含む、実施例２３による通信ネットワークコンポーネントである。
【０１１８】
実施例２５は、第１の通信ネットワークが４Ｇ通信ネットワークであり、第２の通信ネットワークが５Ｇ通信ネットワークである、実施例１９〜２４のいずれか１つによる通信ネットワークコンポーネントである。
【０１１９】
実施例２６は、ベアラがＥＰＳベアラである、実施例２５による通信ネットワークコンポーネントである。
【０１２０】
実施例２７は、ベアラが、移動端末とパケットデータネットワークゲートウェイとの間の接続である、実施例２５又は２６による通信ネットワークコンポーネントである。
【０１２１】
実施例２８は、アプリケーションが４Ｇ通信ネットワークのアクセスポイント名と関連付けられる、実施例２５〜２７のいずれか１つによる通信ネットワークコンポーネントである。
【０１２２】
実施例２９は、コアネットワークスライスの識別情報が、単一ネットワークスライス選択支援情報である、実施例２５〜２８のいずれか１つによる通信ネットワークコンポーネントである。
【０１２３】
実施例３０は、コアネットワークスライスがデータネットワーク名と関連付けられる、実施例２５〜２９のいずれか１つによる通信ネットワークコンポーネントである。
【０１２４】
実施例３１は、第１の通信ネットワークのパケットデータネットワークゲートウェイ−制御プレーンと第２の通信ネットワークのセッション管理機能の両方を実装する、実施例２５〜３０のいずれか１つによる通信ネットワークコンポーネントである。
【０１２５】
実施例３２は、送信機が、４Ｇ通信ネットワークにおけるパケットデータユニットセッション確立中に、コアネットワークスライスの識別情報を送信するように構成されている、実施例２５〜３１のいずれか１つによる通信ネットワークコンポーネントである。
【０１２６】
実施例３３は、移動端末であって、アプリケーションを作動させるように構成されているプロセッサと、移動端末と第１の通信ネットワークのコアネットワークとの間でベアラを使用してアプリケーションに通信サービスを提供する第１の通信ネットワークから、第２の通信ネットワークのコアネットワークスライスの識別情報を受信するように構成されている送受信機とを備え、コアネットワークスライスが、第２の通信ネットワークによってアプリケーションに通信サービスを提供するときに使用されることになり、送受信機が、第２の通信ネットワークのコアネットワークスライスに基づいて通信サービスを使用するように構成されている、移動端末である。
【０１２７】
実施例３４は、第２の通信ネットワークのコアネットワークスライスに基づいて通信サービスの使用を開始するときに、第１の通信ネットワークに基づいて通信サービスの使用を停止するように構成されている、実施例３３による移動端末である。
【０１２８】
実施例３５は、送受信機が、第１の通信ネットワークから第２の通信ネットワークへの、移動端末のハンドオーバを実施するように構成されている、実施例３３又は３４による移動端末である。
【０１２９】
実施例３６は、ハンドオーバが、第１の通信ネットワークの無線アクセスネットワークから第２の通信ネットワークの無線アクセスネットワークへのハンドオーバを含む、実施３３〜３５のいずれか１つによる移動端末である。
【０１３０】
実施例３７は、通信サービスがインターネットアクセス及び／又はオペレータ及び／又はローカルサービスである、実施例３３〜３６のいずれか１つによる移動端末である。
【０１３１】
実施例３８は、送受信機が、第１の通信ネットワークのコアネットワークと第２の通信ネットワークのコアネットワークの両方に属するネットワークコンポーネントから、コアネットワークスライスの識別情報を受信するように構成されている、実施例３３〜３７のいずれか１つによる移動端末である。
【０１３２】
実施例３９は、アプリケーションとコアネットワークスライスとの関連付けを記憶するように構成されているメモリを備える、実施例３３〜３８のいずれか１つによる移動端末である。
【０１３３】
実施例４０は、送受信機が、第１の通信ネットワークにおけるセッション確立中に、コアネットワークスライスの識別情報を受信するように構成されている、実施例３３〜３９のいずれか１つによる移動端末である。
【０１３４】
実施例４１は、セッション確立が、アプリケーションが通信サービスを使用することを可能にするセッションの確立を含む、実施例４０による移動端末である。
【０１３５】
実施例４２は、第１の通信ネットワークが４Ｇ通信ネットワークであり、第２の通信ネットワークが５Ｇ通信ネットワークである、実施例３３〜４１のいずれか１つによる移動端末である。
【０１３６】
実施例４３は、ベアラがＥＰＳベアラである、実施例４２による移動端末である。
【０１３７】
実施例４４は、ベアラが、移動端末とパケットデータネットワークゲートウェイとの間の接続である、実施例４２又は４３による移動端末である。
【０１３８】
実施例４５は、アプリケーションが４Ｇ通信ネットワークのアクセスポイント名と関連付けられる、実施例４２〜４４のいずれか１つによる移動端末である。
【０１３９】
実施例４６は、コアネットワークスライスの識別情報が、単一ネットワークスライス選択支援情報である、実施例４２〜４５のいずれか１つによる移動端末である。
【０１４０】
実施例４７は、コアネットワークスライスがデータネットワーク名と関連付けられる、実施例４２〜４６のいずれか１つによる移動端末である。
【０１４１】
実施例４８は、送受信機が、第１の通信ネットワークのパケットデータネットワークゲートウェイ−制御プレーンと第２の通信ネットワークのセッション管理機能の両方を実装するネットワークコンポーネントから、コアネットワークスライスの識別情報を受信するように構成されている、実施例４２〜４７のいずれか１つによる移動端末である。
【０１４２】
実施例４９は、送受信機が、４Ｇ通信ネットワークにおけるパケットデータユニットセッション確立中に、コアネットワークスライスの識別情報を受信するように構成されている、実施例４２〜４８のいずれか１つによる移動端末である。
【０１４３】
上記実施例のいずれかの特徴は、任意の方法で組み合わせることができることが留意されるべきである。
【０１４４】
さらなる実施例によれば、移動通信ネットワークにおけるＰＤＵセッション確立手順の間にＵＥのスライス情報を送信するための方法であって、以下の、
無線アクセスネットワーク（ＲＡＮ）が、ＵＥが移動通信ネットワークにアクセスすることを可能にするステップと、
ＵＥが移動通信ネットワークにアクセスするステップであり、
移動通信ネットワークが、
ＵＥが移動通信ネットワークにアクセスするためのモビリティ管理及び移動ネットワークアクセス制御を処理するモビリティ管理機能（ＭＭＥ）と、
ＵＥが、ＵＥ、移動通信ネットワークの無線アクセスネットワーク、及び、移動通信ネットワークのコアネットワークの間のＰＤＵセッションを確立、修正及び解放するためのセッション管理を処理するゲートウェイ機能（ＰＧＷ−Ｃ＋／ＳＭＦ）で、ＰＤＵセッションがＥＰＳベアラに基づく、ゲートウェイ機能（ＰＧＷ−Ｃ＋／ＳＭＦ）と
を含むネットワーク機能のセットから構成される移動コアネットワークを含む、ＵＥが移動通信ネットワークにアクセスするステップと、
ネットワーク機能が、ＵＥのスライス情報を決定し、ＰＤＵセッションの情報を、移動通信ネットワークのＰＧＷ−Ｃ／ＳＭＦ及び／又はＰＣＦに提供するステップと、
ＰＧＷ−Ｃ／ＳＭＦが、ローカルポリシに基づいてスライスタイプを決定するステップと、
ＵＥが、スライス情報を記憶し、ＥＰＳベアラを、ＰＣＯを介してＰＧＷ−Ｃ／ＳＭＦによって提供されるスライス情報にマッピングするステップのうちの１つ又は複数
を含む、移動通信ネットワークにおけるＰＤＵセッション確立手順の間にＵＥのスライス情報を送信するための方法が提供される。
【０１４５】
通信ネットワークコンポーネントの構成要素（例えば送信機）は、例えば、１つ又は複数の回路によって実装されてもよい。「回路」は、専用回路、又は、メモリ、ファームウェア、若しくはそれらの任意の組み合わせに記憶されているプロセッサ実行ソフトウェアであってもよい、任意の種類の論理実装エンティティとして理解され得る。したがって、「回路」は、ハードワイヤード論理回路、又は、例えばマイクロプロセッサなどのプログラム可能プロセッサのようなプログラム可能論理回路であってもよい。「回路」はまた、例えば任意の種類のコンピュータプログラムなどのプロセッサ実行ソフトウェアであってもよい。下記により詳細に説明するそれぞれの機能の任意の他の種類の実施態様も、「回路」として理解され得る。
【０１４６】
特定の態様が記載されているが、添付の特許請求の範囲によって画定される本開示の態様の趣旨及び範囲から逸脱することなく、形式及び詳細において様々な変更が為され得ることが当業者には理解されるべきである。したがって、その範囲は添付の特許請求の範囲によって示され、それゆえ、特許請求の範囲と均等な意味及び範囲内に入るすべての変更が包含されるように意図されている。
【図１】
0006676781.tif 000002
【図２】
0006676781.tif 000003
【図３】
0006676781.tif 000004
【図４】
0006676781.tif 000005
【図５】
0006676781.tif 000006
【図６】
0006676781.tif 000007
【図７】
0006676781.tif 000008